(57)【要約】【課題】  外観を損なうことなく下枠の取付強度を十分に確保する。【解決手段】  建物の窓開口部の屋外側に取付けられる上枠２ａ、下枠２ｂ及び左右の縦枠２ｃ，２ｄからなるサッシ枠２と、該サッシ枠２内にスライド開閉自在に設けられた障子３，４とを備え、前記サッシ枠２の少なくとも一側が障子収納部１０として窓開口部８よりも側方に延出して形成され、前記下枠２ｂの屋内面に前記窓開口部８の窓台３２に載る取付部３３ａを有する取付部材３３を着脱可能に取付け、該取付部材３３は床面と略同じ高さまで延出された上縁部３３ｂを有し、下枠２ｂの障子３，４よりも屋内側の上面における窓開口部８と対応する領域に下部カバー部材２５を設け、該下部カバー部材２５の屋内側縁部２５ａを前記取付部材３３の上縁部３３ｂに係止してなる。【選択図】          図２
2006070579.tif 000002
【特許請求の範囲】
【請求項１】
建物の窓開口部の屋外側に取付けられる上枠、下枠及び左右の縦枠からなるサッシ枠と、該サッシ枠内に引違い状にスライド開閉自在に設けられた障子とを備え、前記サッシ枠の少なくとも一側が障子収納部として窓開口部よりも側方に延出して形成され、前記下枠の屋内面に前記窓開口部の窓台に載る取付部を有する取付部材を着脱可能に取付け、該取付部材は床面と略同じ高さまで延出された上縁部を有し、下枠の障子よりも屋内側の上面における窓開口部と対応する領域に下部カバー部材を設け、該下部カバー部材の屋内側縁部が前記取付部材の上縁部に係止されていることを特徴とするサッシ。
【発明の詳細な説明】
【技術分野】
【０００１】
本発明は、サッシに係り、特に全開口タイプのサッシにおける下枠の取付構造を改良したサッシに関する。
【背景技術】
【０００２】
サッシとしては、建物の窓開口部の屋外側に取付けられる上枠、下枠及び左右の縦枠からなるサッシ枠と、該サッシ枠内に引違い状にスライド開閉自在に設けられた障子とを備え、前記サッシ枠の少なくとも一側が障子収納部として窓開口部よりも側方に延出して形成された全開口タイプのサッシが知られている（例えば実開昭５７−１６５９６号公報参照）。このサッシによれば、窓開口部の略全開口幅に障子を開放することができる。
【０００３】
【特許文献１】実開昭５７−１６５９６号公報
【発明の開示】
【発明が解決しようとする課題】
【０００４】
ところで、この種のサッシにおいては、建物の躯体の屋外面にサッシ枠を取付ける外付け取付構造となるため、下枠の取付強度を確保することが難しく、出寸法の大きいサッシを実現することが困難であった。この対策として、下枠の外側下部をブラケットで支えることが考えられるが、ブラケットで荷重を支えるにはブラケットの形状を立体的に大きくする必要があり、基礎への干渉など取付施工性が損なわれると共に、ブラケットが見えて外観が損なわれる（見栄えないし意匠性が悪い）という問題がある。また、下枠の屋内側上縁部に、床板の屋外縁に係止する係止部を形成したものも提案されている（実広昭６１−２０９５３号広報）が、係止部が床板上面に露出するため、結露が生じ易くなり、防露性向上の対策として係止部にカバーを付設すると段差が大きくなり、外観を損なうという問題がある。
【０００５】
本発明は、上記事情を考慮してなされたものであり、防露性の向上が図れると共に外観を損なうことなく下枠の取付強度を十分に確保することができる全開口タイプのサッシを提供することを目的とする。
【課題を解決するための手段】
【０００６】
本発明は、建物の窓開口部の屋外側に取付けられる上枠、下枠及び左右の縦枠からなるサッシ枠と、該サッシ枠内に引違い状にスライド開閉自在に設けられた障子とを備え、前記サッシ枠の少なくとも一側が障子収納部として窓開口部よりも側方に延出して形成され、前記下枠の屋内面に前記窓開口部の窓台に載る取付部を有する取付部材を着脱可能に取付け、該取付部材は床面と略同じ高さまで延出された上縁部を有し、下枠の障子よりも屋内側の上面における窓開口部と対応する領域に下部カバー部材を設け、該下部カバー部材の屋内側縁部を前記取付部材の上縁部に係止してなることを特徴とする。
【発明の効果】
【０００７】
本発明によれば、建物の窓開口部の屋外側に取付けられる上枠、下枠及び左右の縦枠からなるサッシ枠と、該サッシ枠内に引違い状にスライド開閉自在に設けられた障子とを備え、前記サッシ枠の少なくとも一側が障子収納部として窓開口部よりも側方に延出して形成され、前記下枠の屋内面に前記窓開口部の窓台に載る取付部を有する取付部材を着脱可能に取付け、該取付部材は床面と略同じ高さまで延出された上縁部を有し、下枠の障子よりも屋内側の上面における窓開口部と対応する領域に下部カバー部材を設け、該下部カバー部材の屋内側縁部を前記取付部材の上縁部に係止してなるため、防露性の向上が図れると共に外観を損なうことなく下枠の取付強度を十分に確保することができ、出寸法が大きく且つ意匠性が良い全開口タイプのサッシを実現することができる。
【発明を実施するための最良の形態】
【０００８】
以下に、本発明を実施するための最良の形態について、添付図面を基に詳述する。図１は本発明の実施の形態であるサッシの一例を概略的に示す室外側正面図、図２は同サッシの窓開口部側の縦断面図、図３は同サッシの閉鎖時の横断面図、図４は同サッシの障子収納部側縦断面図である。
【０００９】
この本実施例は、本発明を内外２枚の障子を有する片寄せ全開口タイプのサッシに適用した場合の一例を示している。これらの図に示すように、このサッシ１は、建物の窓開口部８の屋外側に取付けられる上枠２ａ、下枠２ｂ及び左右の縦枠２ｃ，２ｄからなるサッシ枠２と、該サッシ枠２内にスライド開閉自在に設けられた内外２枚の障子３，４とを備えている。また、前記サッシ枠２内には内外２枚の網戸５，６がスライド開閉自在に設けられている。
【００１０】
特に、このサッシ１は、建物の躯体７の窓開口部８の前面（躯体の屋外面）に固着具例えばネジ１２によりサッシ枠２が外付けで取付けられ、サッシ枠１の少なくとも一側（図示例では片側）が障子収納部１０として窓開口部８よりも側方に延出して形成されている。具体的には、サッシ枠２には、障子３，４を建付ける障子摺動部９と、該障子摺動部９の一側方に前記障子３，４を収納可能な障子収納部（戸袋部ともいう）１０と、前記障子摺動部９と障子収納部１０の境界位置に配設される方立１１とを備えている。
【００１１】
上枠２ａ、下枠２ｂ、縦枠２ｃ，２ｄ及び方立１１は、例えばアルミ押出形材からなり、上枠２ａ、下枠２ｂ、窓開口部８の一側に位置される一方の縦枠２ｃ及び方立１１は、中空構造（ホロー構造）とされている。方立１１は上枠２ａと下枠２ｂの間に配置されていると共に窓開口部８の他側に位置されて躯体７の屋外面に固定されている。方立１１は障子摺動部９と干渉しないようにサッシ枠２内における屋内寄りに配置されている。
【００１２】
上枠２ａの下面には障子３，４の上部を案内するための上部ガイドレール１３ａ，１３ｂが上枠２ａの全長に設けられている。戸先側の縦枠２ｃと方立１１との間の屋内に露出する上枠２ａ下面には、結露を防止するための合成樹脂製の上部カバー部材２２が取付けられている。障子収納部（戸袋部）１０においては、図示例では躯体７の屋外面に外壁材１５を取付けているが、サッシ枠２の屋外面に鏡板を取付けても良い（図示省略）。
【００１３】
内障子３は、上框１６ａ、下框１６ｂ及び左右の縦框１６ｃ，１６ｄからなる框組体１６内にパネルであるガラス１７を装着してなる。外障子４は、上框１８ａ、下框１８ｂ及び左右の縦框１８ｃ，１８ｄからなる框組体１８内にパネルであるガラス１７を装着してなる。下框１６ｂ，１８ｂには下部ガイドレール１９ａ，１９ｂ上を走行する戸車２０が設けられている。方立１１と内障子３の縦框１６ｄには障子閉鎖時に互いに係合する煙返し２１が設けられ、外障子４の召合せ框（召外框）１８ｄと内障子３の召合せ框（召内框）１６ｃには障子閉鎖時に互いに係合する煙返し２２が設けられている。方立１１には障子閉鎖時の内障子３の縦框１６ｄを固定するためのクレセント錠２３が設けられ、召内框１６ｃには障子閉鎖時の召外框１８ｄを固定するためのクレセント錠２４が設けられている。
【００１４】
障子摺動部９として、下枠２ｂ上には上面フラット構造の下部ガイドレール１９ａ，１９ｂが方立１１よりも屋外側であって両縦枠２ｃ，２ｄ間の下枠２ｂの全長に取付けられている。また、下枠２ｂの障子３，４よりも屋内側の上面における窓開口部８と対応する領域、すなわち、一方（戸先側）の縦枠２ｃと方立１１との間の屋内に露出する下枠２ｂ上には結露を防止するための合成樹脂製の上面フラット構造の下部カバー部材２５が取付けられている。このようにして下枠２ｂの上面を略水平のフラット構造とすることにより、歩行や通行の障害とならないバリアフリーになっている。
【００１５】
下枠２ｂの上面には下部ガイドレール１９ａ，１９ｂを取付けるための取付溝２６ａ，２６ｂが形成され、各取付溝２６ａ，２６ｂに隣接する屋外側には、各障子３，４の屋外面下部から垂下された垂下片３ａ，４ａを案内するための案内溝２７ａ，２７ｂが形成されている。各案内溝２７ａ，２７ｂの屋内側立ち上がり壁には対応する垂下片３ａ，３ｂとの間をシールするための気密材２８ａ，２８ｂが設けられている。下部ガイドレール１９ａ，１９ｂの上面には戸車２０が係合して走行するための高さの低い断面山形の走行路２９が形成されている。また、下枠２ｂの上面には前記下部カバー部材２５を装着するための装着溝３０が形成されている。この装着溝３０の屋外側溝壁には、下部カバー部材２５の屋外側縁部を係止するための係止受部３１が形成されている。
【００１６】
障子３，４や人の大きな荷重がかかる下枠２ｂの取付強度を十分に確保するために、前記下枠２ｂの屋内面には前記窓開口部８の窓台３２に載る取付部３３ａを有する取付部材（アタッチメント）３３が着脱可能に取付けられ、該取付部材３３は床面と略同じ高さまで上方に延出された上縁部３３ｂを有している。取付部材３３は、下枠２ｂの屋内面（屋内側の垂直の端面）に当接されて固着具例えばネジ３４で着脱可能に取付けられる垂直面状の当接部３３ｃとを有している。また、取付部材３３は、当接部３３ｃの上部に、下枠２ｂの屋内面の上部に形成した断面逆Ｕ字状の係合部４２に下方から係合する断面Ｕ字状の係合部３３ｄを有し、この係合部３３ｄよりも上方に断面Ｕ字状の上縁部３３ｂが形成されている。
【００１７】
取付部材３３の取付部３３ａは窓台３２に載置されてネジ４３で固定される。これにより下枠２ｂを半外付けの取付構造で取付けることになり、下枠２ｂの取付強度の向上が図れ、下枠２ｂの取付強度を十分に確保することができる。前記下部カバー部材２５の屋内側縁部２５ａは前記取付部材３３の上縁部３３ｂに係止されて着脱可能に取付けられている。この場合、下部カバー部材２５の屋内側縁部２５ａは取付部材３３の上縁部３３ｂ上まで屋内側へ延出されてから下方に屈曲され、その先端には取付部材３３の上縁部３３ｂの屋内縁部に着脱自在に係止される係止部３５が形成されている。
【００１８】
窓台３２の上方には、下部カバー部材２５の上面と床面が略同じ高さとなるように床板３６が屋内側から敷設されており、この床板３６の屋外側縁部には取付部材３３の上縁部３３ｂを受ける段部３６ａが形成され、この段部３６ａに対して下部カバー部材２５の屋内側縁部２５ａが取付部材３３の上縁部３３ｂと共に上方からネジ３７で固定されている。取付部材３３は、窓開口部８の開口幅の範囲内で開口幅方向に連続した１つの部材として形成されていることが好ましいが、複数に分割して形成されていても良い。また、取付部材３３は、該取付部材３３に形成されているネジ孔を上下方向に長い長穴にすることにより高さ調節可能に構成されていても良い。
【００１９】
前記戸先側縦枠２ｃの屋内露出面及び方立１１の屋内露出面には、合成樹脂製の側部カバー部材３８，３９がそれぞれ着脱可能に取付けられている。窓開口部８の内周における上部及び両側部には額縁４０が取付けられ、上部カバー部材１４及び側部カバー部材３８，３９の屋内側縁部が額縁４０の屋外側縁部上に延出されていると共にネジ４１で固定されている。
【００２０】
以上の構成からなるサッシ１によれば、建物の窓開口部の屋外側に取付けられる上枠２ａ、下枠２ｂ及び左右の縦枠２ｃ，２ｄからなるサッシ枠２と、該サッシ枠２内にスライド開閉自在に設けられた障子３，４とを備え、前記サッシ枠２の少なくとも一側が障子収納部１０として窓開口部８よりも側方に延出して形成され、前記下枠２ｂの屋内面に前記窓開口部８の窓台３２に載る取付部３３ａを有する取付部材３３を着脱可能に取付け、該取付部材３３は床面と略同じ高さまで延出された上縁部３３ｂを有し、下枠２ｂの障子３，４よりも屋内側の上面における窓開口部８と対応する領域に下部カバー部材２５を設け、該下部カバー部材２５の屋内側縁部２５ａを前記取付部材３３の上縁部３３ｂに係止してなるため、防露性の向上が図れると共に外観を損なうことなく下枠２ｂの取付強度を十分に確保することができ、出寸法が大きく且つ意匠性が良い全開口タイプのサッシを実現することができる。
【００２１】
特に、下枠２ｂ上には上面フラット構造の下部ガイドレール１９ａ，１９ｂが取付けられていると共に上面フラット構造の下部カバー部材２５が取付けられており、これらの上面が床面と略同じ高さとされていることによりバリアフリーになっている。その床面よりも下方に窓台３２があり、下枠２ｂの屋内面には窓台３２の上面に載りネジ４３で固定される取付部３３ａを下部に有する取付部材３３が着脱可能に取付けられているため、外付け構造のサッシ枠２でありながら下枠２ｂを半外付け構造で取付けることができ、下枠２ｂは勿論のこと、サッシ枠２全体の取付強度の向上が図れる。
【００２２】
この場合、係合部４２，３３ｄ同士の係合とネジ３４によるネジ止めにより取付部材３３を下枠２ｂの屋内面に容易に且つ確実に取付けることができる。また、該取付部材３３は床面と略同じ高さまで延出された上縁部３３ｂを有しており、下部カバー部材２５の屋内側縁部２５ａが前記取付部材３３の上縁部３３ｂを覆うようにして係止されているため、取付部材３３が露出して外観を損なうことがなく、意匠性の向上が図れる。また、下部カバー部材２５の上面が床面と略同一面であるため、段差がなく、通行性及び意匠性の向上が図れる。
【００２３】
図５は本発明の実施の形態であるサッシの他の例を示す窓開口部側縦断面図である。本実施例において、前記実施例と同一部分は同一符号を付して説明を省略する。本実施例においては、床板３６の屋外側縁部が取付部材３３の上縁部３３ｂの位置で切断されており、前記実施例のような段部３６ａは形成されていない。下部カバー部材２５の屋内縁部２５ａは、床板３６の屋外側縁部の上面まで延出されていると共に、床材３６の屋外側縁部に対してネジ４４で固定されている。本実施例においても、前記実施例と同様の効果を奏することができる。
【００２４】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。本発明は、サッシ枠の両側を障子収納部として窓開口部よりも両側方に延出して形成した両引き全開口タイプのサッシにも適用可能である。
【図面の簡単な説明】
【００２５】
【図１】本発明の実施の形態であるサッシの一例を概略的に示す室外側正面図である。
【図２】同サッシの窓開口部側の縦断面図である。
【図３】同サッシの閉鎖時の横断面図である。
【図４】同サッシの障子収納部側縦断面図である。
【図５】本発明の実施の形態であるサッシの他の例を示す窓開口部側縦断面図である。
【符号の説明】
【００２６】
１  サッシ
２  サッシ枠
２ａ  上枠
２ｂ  下枠
２ｃ，２ｄ  縦枠
３，４  障子
８  窓開口部
１０  障子収納部
１９ａ，１９ｂ  下部ガイドレール
２５  下部カバー部材
３２  窓台
３３  取付部材
３３ａ  取付部
３３ｂ  取付部材の上縁部
【図１】
2006070579.tif 000003
【図２】
2006070579.tif 000004
【図３】
2006070579.tif 000005
【図４】
2006070579.tif 000006
【図５】
2006070579.tif 000007